(57)【要約】【課題】  小さな収納物なら、引き出しや扉を開閉しなくても、簡単、手軽に収納できるようにする。【解決手段】  収納部２の前側を、板３で閉塞している収納キャビネットであって、上記の板３に、物品４を収納部２に入れるための収納口５を形成する。この収納口５に収納部２内に開く扉部材６を設ける。この場合本発明は、扉部材６を開かれた状態から復帰させる弾性部材１１を備え、収納部２は、収納口５に対応する収納スペースを収納部２内に作る仕切り壁２ａを備えるのが良い。また本発明は、扉部材６を、収納口５の上下又は左右方向に並列させて複数設け、この各扉部材６に対応する収納スペースを収納部２内に作る仕切り部材１２を収納部２が備えてなるのでも良い。更に本発明は、収納口５を、扉部材６を備えた枠材で形成するのが好ましい。【選択図】      図１
2009011558.tif 000002
【特許請求の範囲】
【請求項１】
収納部の前側が、板又は扉で閉塞されている収納キャビネットであって、上記の板又は扉に、物品を収納部に入れるための収納口が形成され、この収納口に収納部内に開く扉部材が設けられていることを特徴とする収納キャビネット。
【請求項２】
請求項１記載の収納キャビネットであって、扉部材を開かれた状態から復帰させる弾性部材を備えて形成されていることを特徴とする収納キャビネット。
【請求項３】
請求項１又は２記載の収納キャビネットであって、収納部が、収納口に対応する収納スペースを収納部内に作る仕切り壁を備えて形成されていることを特徴とする収納キャビネット。
【請求項４】
請求項１乃至３の何れかに記載の収納キャビネットであって、扉部材が、収納口の上下又は左右方向に並列されて複数設けられ、この各扉部材に対応する収納スペースを収納部内に作る仕切り部材を収納部が備えて形成されていることを特徴とする収納キャビネット。
【請求項５】
請求項１乃至４の何れかに記載の収納キャビネットであって、収納口が、扉部材を備えた枠材で形成されていることを特徴とする収納キャビネット。
【発明の詳細な説明】
【技術分野】
【０００１】
本発明は収納キャビネットに関し、更に詳しくは例えば引き出しや戸棚のように前側が板や扉で塞がれている収納キャビネットに関するものである。
【背景技術】
【０００２】
従来この種のキャビネットとしては、例えば引き出しの前板の裏側に収納部が形成されているものがある（例えば特許文献１参照）。
この従来品は、前板を前側に傾倒させて収納部を開き、収納物を出し入れした後は、前板を引き起こして収納部を閉じる構造である。
【０００３】
従って上記の特許文献１に記載されている従来品の場合は、収納物が、たとえ小さな物でも、収納する度に、前板を倒したり、引き起こす必要があった。それ故これによると、収納操作に煩わしさを伴うのを避けられなかった。
また従来、例えば引き出しや戸棚等の、前側が板や扉で閉塞されている収納キャビネットは、たとえ収納物が小さな物であっても、特許文献１に記載の従来品と同様、収納する度に、引き出しを引き出したり、扉自体を開けなければならないのが通例であった。従ってこの種の従来品は、小さな収納物を収納する際の使い勝手が悪く、収納操作が不便で煩わしい、という問題があった。
【特許文献１】特開２００３−１８９９５４号公報
【発明の開示】
【発明が解決しようとする課題】
【０００４】
本発明は、このような従来の実情に鑑み、提案されたものである。
従って本発明の解決しようとする技術的課題は、小さな収納物なら、引き出しや扉を開閉しなくても、簡単、手軽に収納できるよう形成した使い勝手の良い収納キャビネットを提供することにある。
【課題を解決するための手段】
【０００５】
本発明は、上記の課題を解決するため、次のような技術的手段を採る。
即ち本発明は、図１、図１８等に示されるように、収納部２の前側が、板３又は扉１３で閉塞されている収納キャビネットであって、上記の板３又は扉１３に、物品４を収納部２に入れるための収納口５が形成され、この収納口５に収納部２内に開く扉部材６が設けられていることを特徴とする（請求項１）。
【０００６】
ここで、収納キャビネット１としては、引き出し自体や、また引き出しや扉１３を備えた戸棚、或いは流し台等がある。なおここで、扉１３には、引き戸も含まれる。また本発明の場合、収納口５の形状は、正方形、長方形、円形、楕円形等、任意である。また本発明の場合、収納口５の大きさは、板３又は扉１３の大きさに合わせて適宜選定されるので良い。更に本発明は、板３又は扉１３の大きさによっては、収納口５が複数形成されているのでも良い。
【０００７】
また本発明品は、図３等に示されるように、扉部材６を開かれた状態から復帰させる弾性部材１１を備えて形成されているのが好ましい（請求項２）。
本発明の場合、扉部材６は、自重で復帰するよう形成されるのでも良いが、この請求項に記載のように形成される場合は、扉部材６を自動で、確実且つ楽に復帰させることができ、使い勝手が良くなるものである。またここで、弾性部材１１としては、例えばコイルスプリング、捻りコイルばね、板ばね等のばね材のほか、ゴム紐等がある。
【０００８】
また本発明は、図１、図１３に示されるように、収納部２が、収納口５に対応する収納スペースを収納部２内に作る仕切り壁２ａを備えて形成されているのが好ましい（請求項３）。
なぜならこれによると、収納口５から入れる物品４と、収納キャビネット１としての例えば引き出しを引いて収納部２に上から入れる物品４とを区分けでき、使い勝手が良くなるからである。
【０００９】
また本発明は、扉部材６が、収納口５の上下又は左右方向に並列されて複数設けられ、この各扉部材６に対応する収納スペースを収納部２内に作る仕切り部材１２を収納部２が備えて形成されているのが好ましい（請求項４）。
なぜならこれによると、扉部材６ごと、例えば別々の物品４を収納させて区分けでき、一層、使い勝手が良くなるからである。
【００１０】
更に本発明は、収納口５が、扉部材６を備えた枠材で形成されているのが好ましい（請求項５）。
なぜならこれによると、収納口５を、簡単且つ迅速に、また見栄え良く形成できるからである。
【発明の効果】
【００１１】
本発明は、このように収納部の前側が、板又は扉で閉塞されている収納キャビネットであって、上記の板又は扉に、物品を収納部に入れるための収納口が形成され、この収納口に収納部内に開く扉部材が設けられているものである。
従って本発明の場合は、引き出しや扉を収納の度に引き出したり、開けなくても、小さな物なら収納口から簡単、手軽に収納できる。
【発明を実施するための最良の形態】
【００１２】
以下、本発明を実施するための最良の形態を説明する。
図１等において、１は、収納キャビネットとしての引き出しである。本発明は、この引き出しの収納部２の前側を閉塞する板３に、物品４を収納部２に入れるための方形の収納口５が形成されている。また６は、収納部２内に開く扉部材である。この扉部材６は、収納口５に設けられている。
【００１３】
収納口５は、この実施形態では扉部材６を備えた枠材で形成されている。この収納口５を形成する枠材は、図２〜図６等に示されるように、板３の前方から板３の開口７（図６等参照）に嵌め込まれる表側部材８と、板３の後方から表側部材８に嵌め付けられる裏側部材９とで形成されている。表側部材８は、板３の厚さと同じ長さの突き出し部８ａを備え、この突き出し部８ａが開口７に嵌め込まれて取り付けられるものである。裏側部材９は、突き出し部８ａの後端の嵌合用の凹部８ｂに、板３の後方から嵌め込むための凸部９ａを備えて形成されている。収納口５は、このように形成された表側部材８と裏側部材９とで形成されている。
【００１４】
また上記の扉部材６は、収納口５を形成する枠材に、この実施形態では上下方向に２個並列されて設けられている。各扉部材６は、図３、図６等に示されるように、横向き状の軸部材１０で、ともに上部が、表側部材８に回動自在に取り付けられている。表側部材８は、上下の扉部材６の境に対応する位置に、水平状の仕切り板８ｃを一体状に備えて形成されている。
【００１５】
１１は、各扉部材６を開かれた状態から復帰させる弾性部材としての捻りコイルばねである。扉部材６は、この捻りコイルばねによって、内方に回動した後、自動的に復元するものである。
【００１６】
また１２（図１等参照）は、各扉部材６に対応する収納スペースを、収納部２内に作る仕切り部材である。この仕切り部材１２は、この実施形態では収納部２内の仕切り壁２ａと外枠２ｂの上端に係合する鍔１２ａを長手方向の両側と奥側に備えて容器状に形成されている。またこの仕切り部材１２の深さは、図８に示されるように、上の扉部材６から投入される物品４を収納できるよう、仕切り板８ｃと高さが合うよう選定されている。
【００１７】
次に本発明品の使用例を説明する。
使用者は、収納口５から投入が可能な大きさの、例えば箸やスプーン等の物品４を、弾性部材１１としての捻りコイルばねの復元力に抗して収納口５から収納部２に投入する。扉部材６は、投入時に内方に開き、扉部材６に加わる力がなくなると、弾性部材１１としての捻りコイルばねの復元力で復帰し、収納口５を閉塞する。
【００１８】
而してこの実施形態の場合、収納口５は上下位置に扉部材６を備えているから、図８に示されるように、上の扉部材６を介して投入される物品４は、仕切り部材１２の中に入り、下の扉部材６を介して投入される物品４は、仕切り部材１２で仕切られる収納部２の下側スペース２ｃに入る。
【００１９】
以上の処において、上例では表側部材８と裏側部材９が、板３の開口７に、板３を挟んで嵌め付けられているが、本発明は、この種の枠部材で形成される場合に限定されるものではない。
【００２０】
また本発明の場合、扉部材６の開閉の仕方は、上例に限定されるものではない。即ち、本発明は、例えば図１０〜図１２に示されるように、下の扉部材６は下側に配置される横向きの軸部材１０で、上の扉部材６は上側に配置される横向きの軸部材１０で、表側部材８に枢着されているのでも良い。この場合は、扉部材６が観音式に開かれるため、扉部材６の内方への開き寸法を抑えた状態で物品４を収納できる。従ってこれによると、その分、大きめの物品４を収納することができる。
【００２１】
また上例では、扉部材６が複数の例であるが、本発明は、図１３〜図１７に示されるように、扉部材６が収納口５を形成する枠部材に１個だけ設けられているのでも良い。この実施形態では、扉部材６が上側の横向きの軸部材１０（図１５〜図１７参照）で表側部材８に枢着されている例である。この場合、収納部２は、図１３に示されるように、収納口５に対応する収納スペースを収納部２内に作る仕切り壁２ａを備えて形成されているのが好ましい。この場合は、収納口５から入れる物品４と、引き出しを引いて上から入れる物品４とを区分けできるからである。
【００２２】
更に上例は、収納キャビネット１が引き出しの場合であるが、本発明は、図１８、図１９に示されるように、前側が扉１３で閉塞されている戸袋等でも良い。この実施形態の場合、扉部材６は、上例と同様、上下方向に２個並べられ、上例と同様の構成に係る枠材を使用して形成されている。図１９において、１２は、上下に仕切られたボックス形の仕切り部材である。この実施形態の場合は、収納口５に対応する収納部２内の位置に、この種の仕切り部材１２が講じられ、投入される品物を収納できるよう形成される。
【図面の簡単な説明】
【００２３】
【図１】本発明の収納キャビネットの好適な一実施形態を示し、Ａは斜視図、Ｂは要部断面図である。
【図２】同上キャビネットの要部斜視図である。
【図３】同上キャビネットの要部断面図である。
【図４】枠材を説明するための前方から見た分解斜視図である。
【図５】枠材を説明するための後方から見た分解斜視図である。
【図６】同上キャビネットの組み立て例を示す要部断面図である。
【図７】同上キャビネットの要部正面図である。
【図８】同上キャビネットの作用を説明するための、図７のＶＩＩＩ−ＶＩＩＩ線における要部断面図である。
【図９】同上キャビネットの平面図である。
【図１０】同上キャビネットの他の実施形態を示す組み立て時の要部断面図である。
【図１１】図１０に係る本発明品の要部正面図である。
【図１２】図１０に係る本発明品の作用を説明するための、図１１のＸＩＩ−ＸＩＩ線における要部断面図である。
【図１３】扉部材が単数の場合の本発明品の斜視図である。
【図１４】図１３に係る本発明品の要部斜視図である。
【図１５】図１３に係る本発明品の組み立て時の要部断面図である。
【図１６】図１３に係る本発明品の要部正面図である。
【図１７】図１３に係る本発明品の作用を説明するための、図１６のＸＶＩＩ−ＸＶＩＩ線における要部断面図である。
【図１８】扉に収納口を形成した本発明品の斜視図である。
【図１９】図１８に係る本発明品の開扉時の斜視図である。
【符号の説明】
【００２４】
１      収納キャビネット
２      収納部
３      板
４      物品
５      収納口
６      扉部材
１３    扉
【図１】
2009011558.tif 000003
【図２】
2009011558.tif 000004
【図３】
2009011558.tif 000005
【図４】
2009011558.tif 000006
【図５】
2009011558.tif 000007
【図６】
2009011558.tif 000008
【図７】
2009011558.tif 000009
【図８】
2009011558.tif 000010
【図９】
2009011558.tif 000011
【図１０】
2009011558.tif 000012
【図１１】
2009011558.tif 000013
【図１２】
2009011558.tif 000014
【図１３】
2009011558.tif 000015
【図１４】
2009011558.tif 000016
【図１５】
2009011558.tif 000017
【図１６】
2009011558.tif 000018
【図１７】
2009011558.tif 000019
【図１８】
2009011558.tif 000020
【図１９】
2009011558.tif 000021